(57)【要約】【課題】電子帳票を印刷する環境の導入においてコストや手間がかかること。【解決手段】本発明の情報処理装置は、バーコードを含む電子帳票を生成する情報処理装置であって、バーコードに含められるデータコードと、電子帳票を印刷する印刷装置によるバーコードの印刷設定情報を取得する処理を行うバーコード生成制御部と、データコードをバーコードに含めると共に印刷設定情報に基づいて印刷用のバーコードの画像データを生成する処理を行うバーコード生成部と、を含む電子帳票を生成する電子帳票生成部を備える。【選択図】図６
2018151744.tif 000002
【特許請求の範囲】
【請求項１】
バーコードを含む電子帳票を生成する情報処理装置であって、
前記バーコードに含められるデータコードと、前記電子帳票を印刷する印刷装置による前記バーコードの印刷設定情報を取得する処理を行うバーコード生成制御部と、前記データコードを前記バーコードに含めると共に前記印刷設定情報に基づいて印刷用の前記バーコードの画像データを生成する処理を行うバーコード生成部と、を含む電子帳票を生成する電子帳票生成部を備えた、
情報処理装置。
【請求項２】
請求項１に記載の情報処理装置であって、
前記バーコード生成部は、前記電子帳票が読み込まれる他の情報処理装置に搭載された演算装置で実行される指令であり、当該演算装置で実行されることで前記バーコードの画像データを生成する、
情報処理装置。
【請求項３】
請求項１又は２に記載の情報処理装置であって、
前記バーコード生成制御部は、前記電子帳票が読み込まれる他の情報処理装置に搭載された演算装置で実行される指令であり、当該演算装置で実行されることで前記印刷設定情報を取得する、
情報処理装置。
【請求項４】
請求項１乃至３のいずれかに記載の情報処理装置であって、
前記バーコード生成制御部は、前記印刷設定情報として、前記印刷装置に設定されている印刷時の解像度を指定する解像度情報を取得し、
前記バーコード生成部は、前記解像度情報に対応する解像度の前記バーコードの画像データを生成する、
情報処理装置。
【請求項５】
請求項１乃至４のいずれかに記載の情報処理装置であって、
前記バーコード生成部は、前記バーコードの規格を指定する規格情報を受け付けて、前記規格情報に対応する規格の前記バーコードの画像データを生成する、
情報処理装置。
【請求項６】
バーコードを含む電子帳票であって、
前記バーコードに含められるデータコードと、
前記電子帳票を印刷する印刷装置による前記バーコードの印刷設定情報を取得するバーコード生成制御部と、
前記データコードを前記バーコードに含めると共に前記印刷設定情報に基づいて印刷用の前記バーコードの画像データを生成するバーコード生成部と、
を含む電子帳票。
【請求項７】
バーコードを含む電子帳票を生成する処理を実行するプログラムであって、
情報処理装置に、
前記バーコードに含められるデータコードと、前記電子帳票を印刷する印刷装置による前記バーコードの印刷設定情報を取得する処理を行うバーコード生成制御部と、前記データコードを前記バーコードに含めると共に前記印刷設定情報に基づいて印刷用の前記バーコードの画像データを生成する処理を行うバーコード生成部と、を含む電子帳票を生成する電子帳票生成部を実現させるためのプログラム。
【請求項８】
バーコードを含む電子帳票を生成する情報処理方法であって、
前記バーコードに含められるデータコードと、前記電子帳票を印刷する印刷装置による前記バーコードの印刷設定情報を取得する処理を行うバーコード生成制御部と、前記データコードを前記バーコードに含めると共に前記印刷設定情報に基づいて印刷用の前記バーコードの画像データを生成する処理を行うバーコード生成部と、を含む電子帳票を生成する、
情報処理方法。
【請求項９】
電子帳票に含まれるバーコードの画像データを生成する情報処理方法であって、
前記電子帳票に含められたバーコード生成制御部が、前記電子帳票を印刷する印刷装置による前記バーコードの印刷設定情報を取得し、
前記電子帳票に含められたバーコード生成部が、前記電子帳票に含められたデータコードを前記バーコードに含めると共に前記印刷設定情報に基づいて印刷用の前記バーコードの画像データを生成する、
情報処理方法。
【請求項１０】
請求項９に記載の情報処理方法であって、
前記バーコード生成部は、前記電子帳票が読み込まれる他の情報処理装置に搭載された演算装置で実行される指令であり、当該演算装置で実行されることで前記バーコードの画像データを生成する、
情報処理方法。
【発明の詳細な説明】
【技術分野】
【０００１】
本発明は、情報処理装置にかかり、特に、電子帳票を作成する情報処理装置に関する。
【背景技術】
【０００２】
近年、様々な帳票が電子化されており、帳票の内容を表すバーコードを含んでいる。例えば、イベントや航空券のチケットが、ＰＤＦ（Portable Document Format）などの電子帳票として電子化されており、イベントの日時、飛行機の便や座席などの情報を含むバーコードを含んでいる。
【０００３】
このような電子帳票は、利用者が購入後にダウンロードを行い、自身が持つプリンタにて印刷し、印刷物をイベント会場や空港に持って行ってバーコードをスキャンして、入場や搭乗する、というように利用される。そして、電子帳票にバーコードを配置して印刷するような場合には、紙に印刷した状態でより正確にバーコードが読み取れることが要求される。
【先行技術文献】
【特許文献】
【０００４】
【特許文献１】特開２０１５−２６２４８号公報
【発明の概要】
【発明が解決しようとする課題】
【０００５】
上述した要求に対して、特許文献１では、電子帳票の印刷を行うコンピュータが、プリンタの解像度に応じてバーコードフォントを切り替えて、印刷データの作成を行うことが記載されている。つまり、特許文献１では、コンピュータがいくつかの解像度に対応するバーコードフォントを記憶しておくことで、プリンタに適切な解像度のバーコードを印刷可能としている。
【０００６】
ここで、通常、電子帳票の印刷が行われる環境を想定することはできないため、様々な解像度のプリンタを想定して電子帳票を作成する必要がある。ところが、特許文献１に記載の方法では、予め用意したバーコードフォントでしかバーコードを印刷することができない。仮に、あらゆる環境で読み取り精度の高いバーコードを印刷するためには、各解像度分だけバーコードフォントを導入する必要がある。その結果、導入のコストや手間がかかる、といった問題が生じる。
【０００７】
このため、本発明の目的は、上述した課題である、電子帳票を印刷する環境の導入においてコストや手間がかかること、を解決することにある。
【課題を解決するための手段】
【０００８】
本発明の一形態である情報処理装置は、
バーコードを含む電子帳票を生成する情報処理装置であって、
前記バーコードに含められるデータコードと、前記電子帳票を印刷する印刷装置による前記バーコードの印刷設定情報を取得する処理を行うバーコード生成制御部と、前記データコードを前記バーコードに含めると共に前記印刷設定情報に基づいて印刷用の前記バーコードの画像データを生成する処理を行うバーコード生成部と、を含む電子帳票を生成する電子帳票生成部を備えた、
という構成をとる。
【０００９】
また、本発明の一形態である電子帳票は、
バーコードを含む電子帳票であって、
前記バーコードに含められるデータコードと、
前記電子帳票を印刷する印刷装置による前記バーコードの印刷設定情報を取得するバーコード生成制御部と、
前記データコードを前記バーコードに含めると共に前記印刷設定情報に基づいて印刷用の前記バーコードの画像データを生成するバーコード生成部と、
を含む、
という構成をとる。
【００１０】
また、本発明の一形態であるプログラムは、
バーコードを含む電子帳票を生成する処理を実行するプログラムであって、
情報処理装置に、
前記バーコードに含められるデータコードと、前記電子帳票を印刷する印刷装置による前記バーコードの印刷設定情報を取得する処理を行うバーコード生成制御部と、前記データコードを前記バーコードに含めると共に前記印刷設定情報に基づいて印刷用の前記バーコードの画像データを生成する処理を行うバーコード生成部と、を含む電子帳票を生成する電子帳票生成部を実現させる、
という構成をとる。
【００１１】
また、本発明の一形態である情報処理方法は、
バーコードを含む電子帳票を生成する情報処理方法であって、
前記バーコードに含められるデータコードと、前記電子帳票を印刷する印刷装置による前記バーコードの印刷設定情報を取得する処理を行うバーコード生成制御部と、前記データコードを前記バーコードに含めると共に前記印刷設定情報に基づいて印刷用の前記バーコードの画像データを生成する処理を行うバーコード生成部と、を含む電子帳票を生成する、
という構成をとる。
【００１２】
また、本発明の一形態である情報処理方法は、
電子帳票に含まれるバーコードの画像データを生成する情報処理方法であって、
前記電子帳票に含められたバーコード生成制御部が、前記電子帳票を印刷する印刷装置による前記バーコードの印刷設定情報を取得し、
前記電子帳票に含められたバーコード生成部が、前記電子帳票に含められたデータコードを前記バーコードに含めると共に前記印刷設定情報に基づいて印刷用の前記バーコードの画像データを生成する、
という構成をとる。
【発明の効果】
【００１３】
本発明は、以上のように構成されることにより、電子帳票を印刷する環境の導入においてコストや手間を低減することができる。
【図面の簡単な説明】
【００１４】
【図１】本発明の実施形態１における帳票作成サーバの構成を示すブロック図である。
【図２】図１に開示した帳票作成サーバにて作成された電子帳票の構成を示すブロック図である。
【図３】図２に開示した電子帳票を印刷する電子帳票印刷マシンの構成を示すブロック図である。
【図４】図１に開示した帳票作成サーバによる電子帳票を作成する動作を示すフローチャートである。
【図５】図３に開示した電子帳票印刷マシンによる電子帳票を印刷する動作を示すフローチャートである。
【図６】本発明の実施形態２における情報処理装置の構成、及び、当該情報処理装置にて作成される電子帳票の構成、を示すブロック図である。
【発明を実施するための形態】
【００１５】
＜実施形態１＞
本発明の第１の実施形態を、図１乃至図５を参照して説明する。図１は、帳票作成サーバ１の構成を示す図である。図２は、電子帳票の構成を示す図である。図３は、電子帳票印刷マシンの構成を示す図である。図４は、電子帳票の作成動作を示す図である。図５は、電子帳票の印刷動作を示す図である。
【００１６】
［構成］
本発明における帳票作成サーバ１は、バーコードを含む電子帳票３０を作成する情報処理装置である。なお、電子帳票３０は、例えば、イベントや航空券のチケットとして利用されるＰＤＦなどのデータであり、作成後に電子帳票印刷マシン４０にてバーコードが表示された状態で印刷されるものである。
【００１７】
帳票作成サーバ１は、演算装置と記憶装置とを備えた情報処理装置である。そして、帳票作成サーバ１は、図１に示すように、演算装置がプログラムを実行することで構築された電子帳票生成部１０を備えている。また、帳票作成サーバ１は、記憶装置にて形成されたバーコードデータ記憶部２０内に、バーコード生成部２１と、データコード２２と、を記憶している。
【００１８】
上記電子帳票生成部１０は、図２に示すように、バーコード生成制御部３１と、バーコード生成部３２と、データコード３３と、を含む電子帳票３０を生成する。具体的に、電子帳票生成部１０は、バーコードデータ記憶部２０内に記憶されているデータである、バーコード生成部２１と、データコード２２と、を読み出して、生成する電子帳票３０の内容に対応したバーコード生成部３２とデータコード２２と、を埋め込んだ電子帳票３０を生成する。
【００１９】
また、電子帳票生成部１０は、電子帳票３０内にバーコード生成制御部３１も埋め込む。なお、バーコード生成制御部３１は、予めバーコードデータ記憶部２０に記憶されていてもよく、あるいは、電子帳票生成部１０によって生成されて、埋め込まれてもよい。
【００２０】
上記バーコード生成制御部３１は、例えば、後述するように他の情報処理装置の演算装置に読み込まれることで実行される指令を含むプログラムにて形成されている。そして、バーコード生成制御部３１は、他の情報処理装置で実行されることで、当該他の情報処理装置に接続されたプリンタ５０（印刷装置）によるバーコードの印刷設定情報を取得する。このとき、印刷設定情報は、例えば、プリンタ５０に設定されている印刷時の解像度を指定する解像度情報を含む。但し、印刷設定情報は、解像度情報であることに限定されず、他の印刷時の設定情報を含んでいてもよい。なお、印刷設定情報は、プリンタ５０に記憶されていてもよく、当該プリンタ５０に接続された電子帳票印刷マシン４０に記憶されていてもよい。
【００２１】
また、バーコード生成制御部３１は、電子帳票印刷マシン４０に装備された電子帳票ビューア４１で表示されている際に、ユーザによって指定されたバーコードの規格を表す規格情報を受け付ける。なお、バーコード生成制御部３１は、予め設定されたバーコードの規格を表す規格情報を受け付けてもよい。そして、バーコード生成制御部３１は、取得した印刷設定情報と、規格情報とを、バーコード生成部３２に渡す。
【００２２】
上記データコード３３は、バーコードに含められる情報である。例えば、データコード３３は、生成する電子帳票の内容に対応した情報を含んでいる。
【００２３】
上記バーコード生成部３２は、後述するように他の情報処理装置の演算装置に読み込まれることで実行される指令を含むプログラムにて形成されている。そして、バーコード生成部３２は、実行されることで、バーコードの画像データを生成する。このとき、バーコード生成部３２は、データコード３３をバーコードに含めると共に、指定された規格のバーコードであり、指定された解像度のバーコード画像データを生成する。つまり、バーコード生成部３２は、任意の規格のバーコード画像データを生成できると共に、任意の解像度のバーコード画像データも生成することができるよう構成されている。
【００２４】
上述した電子帳票３０は、例えば、図３に示すように、電子帳票印刷マシン４０で読み込まれ、接続されたプリンタ５０で印刷される。電子帳票印刷マシン４０は、演算装置と記憶装置とを備えた情報処理装置である。そして、電子帳票印刷マシン４０は、演算装置がプログラムを実行することで構築された電子帳票ビューア４１と、印刷データ生成部４２と、を備えている。
【００２５】
上記電子帳票ビューア４１は、電子帳票印刷マシン４０に入力された電子帳票３０を読み込んで開く。そして、電子帳票ビューア４１からユーザが任意のプリンタ５０を指定して印刷の操作を行うと、上述したように、電子帳票３０に埋め込まれたバーコード生成制御部３１とバーコード生成部３２とが、電子帳票印刷マシン４０にて実行されることとなる。
【００２６】
つまり、電子帳票印刷マシン４０上で、バーコード生成制御部３１が電子帳票ビューア４１を通じてプリンタ５０から解像度を取得する。また、バーコード生成制御部３１が電子帳票ビューア４１から入力されたバーコードの規格を受け付ける。さらに、バーコード生成制御部３１は、電子帳票３０内のデータコード３３と、プリンタ５０から取得した解像度と、指定された規格と、を入力として、バーコード生成部３２にバーコード画像の作成を指示する。すると、電子帳票印刷マシン４０上で、バーコード生成部３２が、指定された規格に則っており、データコード３３を含み、取得した解像度のバーコードの画像データを生成する。
【００２７】
電子帳票ビューア４１は、バーコード生成部３２にて作成されたバーコード画像を含む電子帳票を印刷データ生成部４２に送る。印刷データ生成部４２は、受け取った電子帳票から印刷データを作成して、プリンタ５０に送る。プリンタ５０は、バーコード画像が表示された帳票である印刷データを印刷する。
【００２８】
［動作］
次に、帳票作成サーバ１で電子帳票３０を作成する時の動作を、図４のフローチャートを参照して説明する。まず、帳票作成サーバ１の電子帳票生成部１０は、バーコード生成部２１のプログラムと、データコード２２とを、バーコードデータ記憶部２０から取得する（ステップＳ１）。そして、電子帳票生成部１０は、取得したバーコード生成部２１とデータコード２２とを電子帳票３０に埋め込む（ステップＳ２）。また、電子帳票生成部１０は、電子帳票３０内にバーコード生成制御部３１を形成して、電子帳票３０を作成する（ステップＳ３）。その後、電子帳票生成部１０は、作成した電子帳票３０を、ウェブページを介したり電子メールに添付するなどにより、該当するユーザに配布する（ステップＳ４）。
【００２９】
次に、帳票作成サーバ１で作成した電子帳票３０を印刷する時の動作を、図５のフローチャーを参照して説明する。まず、電子帳票３０の配布を受けたユーザは、電子帳票印刷マシン４０に搭載された電子帳票ビューア４１を開き、電子帳票３０を読み込む（ステップＳ１１）。すると、電子帳票３０に埋め込まれたバーコード生成制御部３１及びバーコード生成部３２が、電子帳票ビューア４１が持つ実行エンジンを利用して実行される。ここで、近年では、電子帳票で動画の再生が可能であったり、JavaScriptコードを実行できるなど、電子帳票ビューア４１が多機能化しており、動画の再生エンジンやJavaScriptの実行エンジンを電子帳票ビューアが備えていることも多い。このような電子帳票ビューア４１が備える実行エンジンを利用することで、バーコード生成制御部３１やバーコード生成部３２が実行される。なお、バーコード生成制御部３１及びバーコード生成部３２は、電子帳票印刷マシン４０が装備する演算装置に読み込まれて実行されてもよい。
【００３０】
続いて、ユーザが電子帳票３０を電子帳票ビューア４１で確認し、電子帳票ビューア４１のメニュー等から出力先となるプリンタ５０を指定して印刷操作を行う。すると、上述したように実行されたバーコード生成制御部３１は、電子帳票ビューア４１を通じてプリンタ５０の解像度を取得する（ステップＳ１２）。また、バーコード生成制御部３１は、ユーザから電子帳票ビューア４１に対してバーコードの規格の指定が入力された場合には、かかる規格の指定を受け付ける（ステップＳ１３）。
【００３１】
続いて、実行されたバーコード生成部３２は、データコード３３を用いて、取得した解像度と指定された規格のバーコード画像データを生成する（ステップＳ１４）。そして、生成されたバーコード画像データを含む電子帳票３０が印刷データ生成部４２に送られ、印刷データを生成し、印刷が行われる（ステップＳ１５）。
【００３２】
以上のように、本発明によると、電子帳票３０にバーコード生成部３２を埋め込むことで、解像度や規格毎にバーコードフォントを用意したマシン等を準備することなく、様々な規格や解像度のバーコード画像データを生成することができる。このため、利用者の印刷環境に合わせたバーコード画像データを生成することができる。その結果、バーコードを含む電子帳票の閲覧、印刷が行われる環境が不定であるような状況においても、読み取り精度の高いバーコードを含む印刷物を生成することができ、電子帳票を印刷する環境の導入においてコストや手間を低減することができる。
【００３３】
＜実施形態２＞
次に、本発明の第２の実施形態を、図６を参照して説明する。図６は、実施形態２における情報処理装置１００及び電子帳票２００の構成を示すブロック図である。なお、本実施形態における情報処理装置１００は、実施形態１で説明した帳票作成サーバ１の構成の概略を示している。
【００３４】
図６に示すように、本実施形態おける情報処理装置１００は、
バーコードを含む電子帳票を生成する情報処理装置１００であって、
バーコードに含められるデータコード２３０と、電子帳票を印刷する印刷装置によるバーコードの印刷設定情報を取得する処理を行うバーコード生成制御部２１０と、データコード２３０をバーコードに含めると共に印刷設定情報に基づいて印刷用のバーコードの画像データを生成する処理を行うバーコード生成部２２０と、を含む電子帳票２００を生成する電子帳票生成部１１０を備える。
【００３５】
なお、上記電子帳票生成部１１０は、情報処理装置にプログラムが組み込まれることで実現される。
【００３６】
上述した情報処理装置により生成された電子帳票２００は、まず、バーコード生成制御部２１０が、電子帳票を印刷する印刷装置によるバーコードの印刷設定情報を取得する。そして、バーコード生成部２２０が、電子帳票２００に含められたデータコードをバーコードに含めると共に印刷設定情報に基づいて印刷用のバーコードの画像データを生成する。
【００３７】
このため、本発明によると、利用者の印刷環境に合わせたバーコード画像データを生成することができる。その結果、解像度毎にバーコードフォントを用意したマシン等を準備することなく、読み取り精度の高いバーコードを含む印刷物を生成でき、電子帳票を印刷する環境の導入においてコストや手間を低減することができる。
【００３８】
＜付記＞
上記実施形態の一部又は全部は、以下の付記のようにも記載されうる。以下、本発明における情報処理装置、電子帳票、プログラム、情報処理方法の構成の概略を説明する。但し、本発明は、以下の構成に限定されない。
【００３９】
（付記１）
バーコードを含む電子帳票を生成する情報処理装置であって、
前記バーコードに含められるデータコードと、前記電子帳票を印刷する印刷装置による前記バーコードの印刷設定情報を取得する処理を行うバーコード生成制御部と、前記データコードを前記バーコードに含めると共に前記印刷設定情報に基づいて印刷用の前記バーコードの画像データを生成する処理を行うバーコード生成部と、を含む電子帳票を生成する電子帳票生成部を備えた、
情報処理装置。
【００４０】
（付記２）
付記１に記載の情報処理装置であって、
前記バーコード生成部は、前記電子帳票が読み込まれる他の情報処理装置に搭載された演算装置で実行される指令であり、当該演算装置で実行されることで前記バーコードの画像データを生成する、
情報処理装置。
【００４１】
（付記３）
付記１又は２に記載の情報処理装置であって、
前記バーコード生成制御部は、前記電子帳票が読み込まれる他の情報処理装置に搭載された演算装置で実行される指令であり、当該演算装置で実行されることで前記印刷設定情報を取得する、
情報処理装置。
【００４２】
（付記４）
付記１乃至３のいずれかに記載の情報処理装置であって、
前記バーコード生成制御部は、前記印刷設定情報として、前記印刷装置に設定されている印刷時の解像度を指定する解像度情報を取得し、
前記バーコード生成部は、前記解像度情報に対応する解像度の前記バーコードの画像データを生成する、
情報処理装置。
【００４３】
（付記５）
付記１乃至４のいずれかに記載の情報処理装置であって、
前記バーコード生成部は、前記バーコードの規格を指定する規格情報を受け付けて、前記規格情報に対応する規格の前記バーコードの画像データを生成する、
情報処理装置。
【００４４】
（付記６）
バーコードを含む電子帳票であって、
前記バーコードに含められるデータコードと、
前記電子帳票を印刷する印刷装置による前記バーコードの印刷設定情報を取得するバーコード生成制御部と、
前記データコードを前記バーコードに含めると共に前記印刷設定情報に基づいて印刷用の前記バーコードの画像データを生成するバーコード生成部と、
を含む電子帳票。
【００４５】
（付記６．１）
付記６に記載の電子帳票であって、
前記バーコード生成部は、前記電子帳票が読み込まれる他の情報処理装置に搭載された演算装置で実行される指令であり、当該演算装置で実行されることで前記バーコードの画像データを生成する、
電子帳票。
【００４６】
（付記６．２）
付記６又は６．１に記載の電子帳票であって、
前記バーコード生成制御部は、前記電子帳票が読み込まれる他の情報処理装置に搭載された演算装置で実行される指令であり、当該演算装置で実行されることで前記印刷設定情報を取得する、
電子帳票。
【００４７】
（付記７）
バーコードを含む電子帳票を生成する処理を実行するプログラムであって、
情報処理装置に、
前記バーコードに含められるデータコードと、前記電子帳票を印刷する印刷装置による前記バーコードの印刷設定情報を取得する処理を行うバーコード生成制御部と、前記データコードを前記バーコードに含めると共に前記印刷設定情報に基づいて印刷用の前記バーコードの画像データを生成する処理を行うバーコード生成部と、を含む電子帳票を生成する電子帳票生成部を実現させるためのプログラム。
【００４８】
（付記７．１）
付記７に記載のプログラムであって、
前記バーコード生成部は、前記電子帳票が読み込まれる他の情報処理装置に搭載された演算装置で実行される指令であり、当該演算装置で実行されることで前記バーコードの画像データを生成する、
プログラム。
【００４９】
（付記７．２）
付記７又は７．１に記載のプログラムであって、
前記バーコード生成制御部は、前記電子帳票が読み込まれる他の情報処理装置に搭載された演算装置で実行される指令であり、当該演算装置で実行されることで前記印刷設定情報を取得する、
プログラム。
【００５０】
（付記８）
バーコードを含む電子帳票を生成する情報処理方法であって、
前記バーコードに含められるデータコードと、前記電子帳票を印刷する印刷装置による前記バーコードの印刷設定情報を取得する処理を行うバーコード生成制御部と、前記データコードを前記バーコードに含めると共に前記印刷設定情報に基づいて印刷用の前記バーコードの画像データを生成する処理を行うバーコード生成部と、を含む電子帳票を生成する、
情報処理方法。
【００５１】
（付記９）
電子帳票に含まれるバーコードの画像データを生成する情報処理方法であって、
前記電子帳票に含められたバーコード生成制御部が、前記電子帳票を印刷する印刷装置による前記バーコードの印刷設定情報を取得し、
前記電子帳票に含められたバーコード生成部が、前記電子帳票に含められたデータコードを前記バーコードに含めると共に前記印刷設定情報に基づいて印刷用の前記バーコードの画像データを生成する、
情報処理方法。
【００５２】
（付記１０）
付記９に記載の情報処理方法であって、
前記バーコード生成部は、前記電子帳票が読み込まれる他の情報処理装置に搭載された演算装置で実行される指令であり、当該演算装置で実行されることで前記バーコードの画像データを生成する、
情報処理方法。
【００５３】
（付記１１）
付記１０に記載の情報処理方法であって、
前記バーコード生成制御部は、前記電子帳票が読み込まれる他の情報処理装置に搭載された演算装置で実行される指令であり、当該演算装置で実行されることで前記印刷設定情報を取得する、
情報処理方法。
【００５４】
（付記１２）
付記１０乃至１１のいずれかに記載の情報処理方法であって、
前記バーコード生成制御部は、前記印刷設定情報として、前記印刷装置に設定されている印刷時の解像度を指定する解像度情報を取得し、
前記バーコード生成部は、前記解像度情報に対応する解像度の前記バーコードの画像データを生成する、
情報処理方法。
【００５５】
（付記１３）
付記１０乃至１２のいずれかに記載の情報処理方法であって、
前記バーコード生成部は、前記バーコードの規格を指定する規格情報を受け付けて、前記規格情報に対応する規格の前記バーコードの画像データを生成する、
情報処理方法。
【００５６】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００５７】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００５８】
１  帳票作成サーバ
１０  電子帳票生成部
２０  バーコードデータ記憶部
２１  バーコード生成部
２２  データコード
３０  電子帳票
３１  バーコード生成制御部
３２  バーコード生成部
３３  データコード
４０  電子帳票印刷マシン
４１  電子帳票ビューア
４２  印刷データ生成部
５０  プリンタ
１００  情報処理装置
１１０  電子帳票生成部
２００  電子帳票
２１０  バーコード生成制御部
２２０  バーコード生成部
２３０  データコード
【図１】
2018151744.tif 000003
【図２】
2018151744.tif 000004
【図３】
2018151744.tif 000005
【図４】
2018151744.tif 000006
【図５】
2018151744.tif 000007
【図６】
2018151744.tif 000008